(57)【要約】【課題】  遠く離れた主治医も患者に対応して、インシュリンポンプの注入量やモードの設定の変更を可能とするインターネットを通じたインシュリンポンプ制御方法を提供する。【解決手段】  本発明は、インシュリンポンプ５００と、血糖測定器６００及び、個人携帯情報端末機器４００に各々無線通信モジュール７００を内蔵し、コンピュータ本体と個人携帯情報端末機器はインシュリンポンプユーザー管理用サーバーとインターネット接続し、ログインしたユーザーが医師かどうかを判断する第１段階（Ｓ１）と、医師でなければ看護婦と判断して患者の血糖データを入力してインシュリン注入量を可変調整するように指令する第２段階（Ｓ２）と、医師であり、主治医である場合、血糖測定値とインシュリン注入量を判断して新しい処方に応じてインターネットを介してインシュリンポンプを駆動させる第４段階（Ｓ４）とを順次に行なう。【選択図】      図１１
2004344649.tif 000002
【特許請求の範囲】
【請求項１】
インシュリンポンプ５００、血糖測定器６００及び、個人携帯情報端末機器４００に各々無線通信モジュール７００を内蔵し、各無線通信モジュール７００はコンピュータ本体のメインボードに設けられた無線通信装置を媒介としてＩＤで区分して送受信し、コンピュータ本体と個人携帯情報端末機器はインシュリンポンプユーザー管理用サーバーとインターネット接続し、
サーバーはユーザー接続時にログインした後、医師であるかどうかを判断する第１段階（Ｓ１）と、
医師でなければ看護婦と判断し、患者の血糖データを入力してインシュリン注入量を可変調整するように指令する第２段階（Ｓ２）と、
医師であれば、主治医かどうかを確認して主治医でなければ主治医変更を行なう第３段階（Ｓ３）と、
主治医である場合と、主治医に変更した場合に、既存の血糖測定値とインシュリン注入量とを判断して作成された新しい処方に応じてインターネット及び無線通信モジュールを介して患者のＩＤを有した該当インシュリンポンプを駆動させる第４段階（Ｓ４）とを順次に行なうことを特徴とするインターネットを介したインシュリンポンプ制御方法。
【請求項２】
第２段階（Ｓ２）は、患者のＩＤと、登録病院のデータとをダウンロードする第２−１段階（Ｓ２−１）と、
患者の血糖測定データをＩＤで区分して入力する第２−２段階（Ｓ２−２）と、
該当ＩＤに対応する患者が有するインシュリンポンプに、前記血糖測定データに基づいて判断された注入量を指令する第２−３段階（Ｓ２−３）と、
血糖測定器及びインシュリンポンプのアップロード及びダウンロードデータを該当ＩＤ別に区分してリアルタイムに更新して格納する第２−４段階（Ｓ２−４）とを順次に行なうことを特徴とする請求項１に記載のインターネットを介したインシュリンポンプ制御方法。
【請求項３】
前記第４段階（Ｓ４）は、主治医患者のデータをタウンロードさせる第４−１段階（Ｓ４−１）と、
主治医が判断して入力するインシュリン注入量の設定値があるかどうかを確認する第４−１段階（Ｓ４−２）と、
インシュリン注入量の設定があれば本体にこれを指令する第４−３段階（Ｓ４−３）と、
本体の指令を該当ＩＤのインシュリンポンプに伝達する第４−４段階（Ｓ４−４）とを順次に行なうことを特徴する請求項１に記載のインターネットを介したインシュリンポンプ制御方法。
【発明の詳細な説明】
【技術分野】
【０００１】
本発明は、インシュリンポンプと血糖測定器に無線通信が可能な無線通信チップ（モジュール）を内蔵し、相互交信によりインシュリンポンプを駆動させ、別途の無線通信装置と個人携帯情報端末機器とサーバーとを連係してインシュリンポンプと、血糖測定器とを制御可能とするインターネットを介したインシュリンポンプ制御方法に関するものである。
【背景技術】
【０００２】
２０世紀の代表的な文明病といわれる糖尿病は、世界の人口の約６０億のうち、１億以上の人が該病気で苦労しており、韓国では２百万人程度が糖尿患者として推定され、内科患者の１０％程度が糖尿患者である。今まで糖尿は完治できる病気ではなく調節する病気として認識されてきた。調節に失敗すると、各種合病症を伴い生命を失うことになる。このような糖尿病による国内死亡率も人口１０万人当たり１１．５（１９９０年統計）と増加しており、恐ろしい病気として知られている。
【０００３】
糖尿病は、血糖値が空腹時に１４０ｍｇ/ｄｌ以上となる、又は食事時間の２時間後に２００ｍｇ/ｄｌ以上となる症状を示す病気である。そして、血糖値が高くなる正確な原因は未だ究明されていない。
【０００４】
現在までに知られている理由としては、糖を同化するインシュリンに異常があるという程度である。インシュリンの異常は、インシュリンを分泌する膵臓のβ細胞がインシュリンを十分に生産できないため、インシュリンが不足した状態になるか、膵臓のβ細胞ではインシュリンを正常的に分泌しても、何らかの理由により該インシュリンの作用が劣って血糖同化を適当に行なえず、いわゆるインシュリン抵抗性により血糖が高くなるというものである。現在糖尿病の治療方法としては、食事療法、運動療法、薬物療法、インシュリン注射法に大別され、膵臓移植も試されている。
【０００５】
インシュリン注射法は、インシュリン依存型の糖尿患者に用いられる治療方法であるが、インシュリン非依存型の患者にも効果を奏する。インシュリン注射法は一日に１−２回インシュリン注射を打つことが普遍化されている方法であるが、人体内で分泌されるインシュリンの量は一定でなく、食事時間を前後して３回は多量に分泌され、その他の時間には少量分泌されるため、人体内のインシュリン分泌量の平均値を注入せざるを得ない。このような１−２回注射法では、食後にはインシュリンが足りずに高血糖となる一方、夜にはインシュリンの量が多くなって低血糖になる。即ち、インシュリン供給が非正常的となって体が非正常化するという短所がある。従って、既存のインシュリン注射法が糖尿合病症の予防の手助けとならなかった原因もこのように正常者のインシュリン分泌量の変化を提供できなかったためである。従って、さらに改善された治療方法として提案されたものがインシュリンの注入量をコンピュータにより調節することで、人体内の正常的なインシュリン分泌に近づけるようにする、いわゆるインシュリンポンプ（機械的な人工膵臓器）と膵臓のβ細胞移植手術方法である。
【０００６】
一般に、長時間注射用自動注射器（インシュリンポンプ、インシュリン注射器、インシュリン自動注射器等と呼称されている）は、注射シリンジを収容するハウジングにシリンジピストンをプッシュするプッシュ手段が結合する構造からなる。これには日本公開実用昭和５２−３２９２号とアメリカ特許第４,４１７,８８９号を挙げることができる。しかしながら、このような方式は使用法が複雑で老若者が使用するには不便な点があった。
【０００７】
このために使用が簡便、且つ小型化した韓国特許登録第０３０７１９１号のインシュリンポンプが本出願人により開発されている。これは図１に示すように、使用後にシリンジに注射液を再充填する場合に、連結部材２及び蓋１１０をハウジング１２０から分離させ、使用済みのシリンジ２１と共に結合されたピストン１２２及び回転軸１３１を共にハウジング１２０から分離させる。この回転軸１３１と注射器のピストン１２２とを容易に目で確かめながら、初期状態にセッティングした上で、シリンジ２１に注射液を再充填したあとで、ピントンプッシュ手段１５０と結合した回転軸１３１の部分をハウジング１２０に対して上部から挿入し、その後、蓋１１０をハウジング１２０の上部に気密状態を形成しつつ結合する。そして、蓋１１０の上部で連結部材２を結合させる。前記蓋１１０に対応するハウジング１２０には、シリンジ２１と、ピストン１２２、ピストンを押圧する手段１５０及び、動力提供手段１３０を通して動力を提供する回転軸１３１を含む。前記ハウジング１２０には、制御基板（図示せず）に対する指令を入力する制御ボタン部１２３と、制御状態を表示するＬＣＤ等のディスプレイ部１２４と、電源を提供するバッテリを固定するバッテリ蓋１２５と、リセット機能を実行するリセットボタン１２１を含む。１４０は底の蓋である。
【０００８】
図２は、このような注射器の制御回路の一例を示したブロック図であり、制御用指示を行なう制御ボタン部１２３と、制御ボタン部１２３の操作を認識するマイクロコンピュータ機能の制御部１７０と、認識されたデータを出力して表示するディスプレイ部１２４と、各種データ及びプログラムを格納するＲＯＭ１６５と、前記制御部１７０の制御出力によりモーター１６８を駆動させるモーター駆動部１６７と、モーター駆動部１６７によって回転力が制御されるモーター１６８と、モーター１６８の位相を感知するフォトカプラー１６９とを備えた構成を例示することができる。
【０００９】
前記制御部１７０の望ましい一例としては、同一機能の第１及び第２制御部１７１、１７２として構成され、少なくとも一つに異常が生じても機能を持続できるようにすることが良い。前記制御部１７１、１７２に示した端子（Ｐ１−Ｐ５及びＰ１′−Ｐ２′）はデータ及び/又はバスラインと連結するポートである。前記モーター６８としては、ステッピングモーター、サーボモーターなどが挙げられる。
【００１０】
図３は、一般的な血糖測定器２００の一部断面図を示しており、血糖測定器２００は、測定ランプ２１１を制御するとともに、測定ランプ２１１により測定された値を認識するように変換する制御部２１０と、測定ランプ２１１を貫通状態で露出させる測定ランプ孔２２１を有するとともに、測定プローブ２３０を嵌め込む挿入孔２２２を有する測定ハウジング２２３と、前記測定プローブ２３０の嵌め込み状態を固定するように測定ハウジング２２３に対して出没可能に配設された固定突起２２４とを含めて構成されている。前記測定プローブ２３０は、固定突起２２４が嵌め込まれる嵌込み孔２３１と、測定プローブ２３０を挿入孔２２２に嵌め込んだ場合に、測定ランプ２１１に対応する位置に形成された光透過孔２３３及び前記光透過孔２３３を覆う測定板２３５とを備えている。２４０は測定ハウジング２２３を固定結合するハウジングである。
【００１１】
図４は、図３の制御部２１０の一実施例を示したブロック図であり、マイクロコンピュータ２５０の指令及び測定ランプ２１１の測定値を受信する機能についての制御部２１０の構成を示している。
【００１２】
制御部２１０は、マイクロコンピュータ２５０の一端子（Ｐ７）を介した出力信号をアナログ信号に変換させるデジタルアナログ変換機２１２と、デジタルアナログ変換機２１２の変換出力に基づき、測定ランプ２１１の発光ランプ（２１１−１）を駆動させるランプ駆動部２１３と、発光ランプ（２１１−１）が発光した光について、測定板２３５で反射された光を受光する受光ランプ（２１１−２）を有する測定ランプ２１１と、測定ランプ２１１の受光ランプ（２１１−２）を介した受信光を受信し増幅させるランプ信号受信部２１４と、ランプ信号受信部２１４の受信出力をデジタル変換させて、マイクロコンピュータ２５０の端子（Ｐ７）に提供するアナログデジタル変換機２１５とを備えている。
【００１３】
図５は、図３及び図４の構成を通じて測定した血糖値の一例を示すグラフである。
【００１４】
一方、近距離で有線通信や赤外線通信を代替する近距離無線通信概念としてブルートゥース（登録商標）標準案（BLUETOOTH  PROTOCOL）がエリックソン（ERICSSON）社により提案され、ボイス及びデータの両方向の伝送が可能な近距離無線通信方法である前記ブルートゥース通信技法は、今後の通信端末機の分野に広く応用され得ると予想され、現在このようなブルートゥースの通信技法を携帯電話に適用して公共の場所における携帯電話の着信音問題を解決するための技術は提供されていない。これを解決しようとする技術が、例えば特許文献１に開示されており、これは図６及び図７に示すようなものである。
【００１５】
図６は、このようなブルートゥース通信装置と、ブルートゥース無線通信を実行する携帯電話の簡略構成図を示している。公共の場所に設置されているブルートゥース通信装置３００は、ブルートゥース無線通信距離内にある全ての携帯電話４００を探し、これらに対してマナーモードへの転換のための制御動作を無線伝送で実行するようになっている。この時、前記ブルートゥース通信装置３００がマスタ（MASTER）となり、前記ブルートゥース通信装置３００の通信距離以内にある全ての携帯電話がスレーブ（SLAVE）となる。前記ブルートゥース通信装置３００が制御可能な携帯電話４００は、ブルートゥースモジュール４１０をそれ自体に備えなければならない。
【００１６】
図７は、図６のブルートゥース通信装置３００のブロック構成図を示している。前記ブルートゥース通信装置３００は、ＲＦ送信部３１０、ＲＦ受信部３２０、基底帯域（BASEBAND）処理部３３０及び通信制御部３４０から構成される。前記ＲＦ送信部３１０、ＲＦ受信部３２０、基底帯域（BASEBAND）処理部３３０は送受信部３５０を構成している。
【００１７】
前記ＲＦ送信部３１０は、前記基底帯域処理部３３０において生成した無線送信用データパケットを設定された周波数帯域に変調増幅して送信する。
【００１８】
前記ＲＦ受信部３２０は、受信された周波数信号のノイズの増幅を最大限に抑制し、設定された周波数帯域の信号を増幅した後、低い周波数帯域に低めて前記基底帯域処理部３３０に送信する。
【００１９】
前記基底帯域処理部３３０は、前記通信制御部３４０から送信された各種HIC（HOST CONTROL INTERFACE）データパケットにアクセスコード及びヘッダーを付加してパケットフォーマットに変更するとともに、これを無線送信のための所定のデータパケットに変更し、前記ＲＦ送信部３１０を介して設定された周波数帯域で無線送信し、前記ＲＦ受信部３２０を介して受信されたデータパケットを前記HICパケットに変更して前記通信制御部３４０に送信する。
【００２０】
通信制御部３４０は、前記ブルートゥース通信装置の全般的な動作を制御し、前記基底帯域処理部３３０から入ってくるスレーブである携帯電話の問い合わせ（Inquiry）応答メッセージ（問い合わせの応答データパケット）の受信を感知すると、前記携帯電話の各々とコネクションを設定した後、携帯電話の報知モードをマナーモードに強制転換するように制御する。
【特許文献１】韓国特許第０３４１９８８号明細書
【発明の開示】
【発明が解決しようとする課題】
【００２１】
前記のような技術は、各々の分野で使用されている技術であるが、インシュリンポンプと血糖測定器との間には無線交信技術が使用されておらず、患者が別々に用いるため、これを同時に使用しなければならない患者には不便であった。
【００２２】
また、最近ＰＤＡ（Personal Digital Assistant：個人携帯情報端末機器）を用いた無線制御方式の技術が韓国公開特許２００２−００７６２０２に掲載されている。
【００２３】
しかしながら、かかる技術は、個人携帯情報端末機器が有している無線通信の利点を用いて単純に設定したルーチンを行なうものであるため、リアルタイムに両方向へのデータ処理が困難なため、これをインシュリンポンプに適用するには更に困難である。
【００２４】
本発明は、これを解決するために、血糖測定器の測定値に連動してインシュリンポンプがリアルタイムに作動可能にするだけではなく、遠く離れた主治医も患者に対応して、インシュリンポンプの注入量やモードの設定の変更を可能とするインターネットを通じたインシュリンポンプ制御方法を提供することが目的である。
【課題を解決するための手段】
【００２５】
前記関連技術の問題点を解決するために、本発明は、インシュリンポンプと血糖測定器及び個人携帯情報端末機器に無線通信モジュール（チップ）を各々内蔵し、無線通信モジュールは無線通信を制御する無線通信装置をコンピュータ本体に設けて、インターネットを介したサーバーの制御で、サーバーは、医師であるかどうかを確認する第１段階と、患者のＩＤに当たる血糖データを提供してインシュリンポンプを駆動するように指令する第２段階と、医師ではあるが主治医ではない場合、主治医を変更する第３段階と、医師でありかつ主治医の場合、該当ＩＤの血糖値及び既存のインシュリン注入量などに基づく新しい注入量に応じて遠隔指令する第４段階とからなる。
【００２６】
また、本発明は、インシュリンポンプと、血糖測定器及び個人携帯情報端末機器に各々無線通信チップを内蔵し、各無線通信チップは、コンピュータ本体のメインボードに設けた無線通信装置を介してＩＤで区分して送受信し、コンピュータ本体と個人携帯情報端末機器は、インシュリンポンプのユーザー管理用サーバーとインターネット接続し、サーバーは、ユーザーの接続時にログインした後、医師であるかどうかを判断する第１段階と、医師でなければ看護婦として判断して患者の血糖データを入力してインシュリン注入量を可変調整するように指令する第２段階と、医師であれば、主治医かどうかを確認して主治医ではない場合、主治医の変更を行なう第３段階と、主治医の場合と主治医に変更した場合、既存の血糖測定値とインシュリン注入量とを判断して新しい処方に応じて、インターネット及び無線通信モジュールを介して患者のＩＤを有した該当インシュリンポンプを駆動させる第４段階とを順次にインターネットを介して行なうインシュリンポンプ制御方法を提供する。
【発明の効果】
【００２７】
本発明は、インシュリンポンプと血糖測定器及び個人携帯情報に各々無線通信モジュールを内蔵し、これらを管理する別途のサーバーを備え、インターネットに相互接続してサーバーの制御を受けるようにし、個人携帯情報端末機を介して制御できるように看護婦が患者のデータを無線で受信してサーバーに送り、サーバーを介して接続した主治医が患者に対応してインシュリン注入量を設定することができ、インターネットを介して患者のインシュリン注入をリアルタイムに遠隔制御できるようにする。
【００２８】
また、本発明は複数のインシュリンポンプと血糖測定器及び個人携帯情報端末機器にＩＤを与え、本体から無線通信装置を設けて交信を制御するようにし、中央の無線通信装置は、サーバー機能のコンピュータと連係して各々の血糖値を無線で受信するとともに対応する処方を対応するインシュリンポンプに送信し、看護婦は、隣接する患者のＩＤに相応するデータをサーバーに供給することで、遠く離れている主治医はインターネットや個人携帯情報端末機器を介して制御可能であるため、患者のところに行くことなく、一度に又は個別に患者に対応した注入量をサーバーに伝送し、サーバーはこれに基づき病院別患者別に制御することができ、患者管理の効率性と迅速な処方が可能となる。
【発明を実施するための最良の形態】
【００２９】
以下、本発明の望ましい実施形態を添付の図面に基づいて詳細に説明する。
【００３０】
図８は、本発明のブロック構成図であって、ブルートゥース（登録商標：無線通信）モジュール７００を各々内蔵したインシュリンポンプ５００、血糖測定器６００及び、携帯電話又は個人携帯情報端末機器４００と、前記ブルートゥースモジュール７００と送受信可能に看護婦などが用いるコンピュータ本体８１０のメインボードに別途に設けられ、以下に説明する送受信部３５０と通信制御部３４０からなるブルートゥース通信装置３００と、前記ブルートゥース通信装置３００を収容する本体８１０、モニター８２０及びキーボード８３０を有するコンピュータ８００とを備えている。
【００３１】
前記本体８１０は、モデムを介してインターネット網と接続し、インターネット網には、サーバー９００と、サーバー９００にログインして接続する主治医のパーソナルコンピュータ８０１とが接続されるようになっている。前記個人携帯情報端末機器４００は、加入した（例えば、０１１、０１６）インターネットサービスプロバイダ（ＩＳＰ）９１０を介した相手（例えば、主治医）の個人携帯情報端末機器４００´と呼接続して通信する構成からなる。
【００３２】
図９は、インシュリンポンプにブルートゥースモジュール７００が内蔵された結合構成を示した構成図であり、インシュリンポンプの駆動指示を行う制御ボタン部１２３と、制御ボタン部１２３の操作を認識するマイクロコンピュータ機能の制御部１７０と、認識されたデータを出力して表示するディスプレイ部１２４と、各種データ及びプログラムを格納するＲＯＭ１６５と、前記制御部１７０の制御出力によってモーター１６８を駆動するモーター駆動部１６７と、モーター駆動部１６７によって注射器ピストン駆動用の回転力が制御されるモーター１６８と、モーター１６８の位相を感知するフォトカプラー１６９とを有するインシュリンポンプの制御回路において、インシュリンポンプを制御する制御部１７０にブルートゥースモジュールを認識するとともに、制御するための機能をプログラムに付加し、制御部１７０の一端子Ｐ６にはブルートゥースモジュール７００を連結させてブルートゥースモジュール７００を制御するようにし、ブルートゥースモジュール７００は、制御部１７０の指令を受信するとともに、制御部１７０にデータを送信するマイクロコンピュータ７１０と、マイクロコンピュータ７１０の指令によって基底帯域処理部７４０でデータパケットのヘッダーなどを付加して送られてきた信号を変調し、ＲＦ信号に送信するＲＦ送信部７２０と、他のブルートゥースモジュール７００を介して受信される信号を検波して受信するＲＦ受信部７３０と、マイクロコンピュータ７１０の指令（データパケット）に基づき、ヘッダーなどを付加して無線送信のための送信データパケットに変更してＲＦ送信部７２０に送り、受信データパケット内の送信者のＩＤとデータとを認識してデータパケットに変更して、マイクロコンピュータ７１０に送る基底帯域処理部７４０からなる。
【００３３】
図１０は、本発明の血糖測定器６００の構成ブロック図であって、マイクロコンピュータ２５０と、マイクロコンピュータ２５０の指令により測定ランプ２１１を駆動するデジタルアナログ変換機２１２と、ランプ駆動部２１３と、測定ランプ２１１の測定値を認識するランプ信号受信部２１４と、ランプ信号受信部２１４の信号をデジタル信号に変換してマイクロコンピュータ２５０に送るアナログデジタル変換機２１５とを備え、血糖値を測定できるようになっている血糖測定器６００において、マイクロコンピュータ２５０の一端子（Ｐ８）にブルートゥースモジュール７００を接続し、マイクロコンピュータ２５０は、ブルートゥースモジュール７００とデータを取り交わすことができる機能（プログラム）を内蔵し、インシュリンポンプ５００を駆動する入力手段及び他のブルートゥースモジュールからの信号を受け、設定された駆動ができるようになっている。ブルートゥースモジュール７００自体は、図９と同様の構成であるためここでの説明は省略する。
【００３４】
図１１は、本発明のサーバーが実行する処理を示すフローチャートであって、サーバーは、接続してログインしたユーザーが医師であるかどうかを判断する第１段階（Ｓ１）と、医師でなければ（Ｓ１でＮＯ）、看護婦として判断して、患者の血糖データを入力し、インシュリン注入量を可変調整するように指令する第２段階（Ｓ２）と、医師であれば（Ｓ１でＹＥＳ）、主治医かどうかを確認し、主治医でなければ主治医変更を行なう第３段階（Ｓ３）と、主治医の場合と、主治医に変更した場合、既存の血糖測定値とインシュリン注入量とを判断して作成された新しい処方に応じて、インターネット及びブルートゥースモジュールを通して患者のＩＤを有した該当インシュリンポンプを駆動させる第４段階（Ｓ４）を順次に行なうように構成されている。
【００３５】
前記第２段階（Ｓ２）は、患者のＩＤと登録病院のデータとをダウンロードする第２−１段階（Ｓ２−１）と、患者の血糖測定データをＩＤに区分して入力する第２−２段階（Ｓ２−２）と、該当ＩＤに対応する患者が有しているインシュリンポンプに対して、前記血糖測定データに基づき判断された注入量を指令する第２−３段階（Ｓ２−３）と、血糖測定器及びインシュリンポンプのアップロード及びダウンロードデータを該当ＩＤ別に区分してリアルタイムに更新して格納する第２−４段階（Ｓ２−４）とを順次に行なう。
【００３６】
前記第４段階（Ｓ４）は、主治医患者のデータをダウンロードさせる第４−１段階（Ｓ４−１）と、主治医が判断して入力するインシュリン注入量の設定値があるかどうかを確認する第４−１段階（Ｓ４−２）と、インシュリン注入量の設定があれば本体にこれを指令する第４−３（Ｓ４−３）と、本体の指令を該当ＩＤのインシュリンポンプに伝達する第４−４（Ｓ４−４）を順次に行なう。
【００３７】
また、本発明は、一般的に用いるブルートゥースモジュール７００をインリュリンポンプ５００と血糖測定器６００及び個人携帯情報端末機器４００に内蔵させ、同時にこれらの機器５００、６００、４００と通信するブルートゥース通信装置３００と、ブルートゥース通信装置３００を収容し、機器５００、６００、４００と交信するコンピュータ８００とを備えている。また、サーバー９００は、本体８１０とモデムを介してインターネット網に接続し、サーバー９００は、インシュリンポンプ５００及び血糖測定器６００及び個人携帯情報端末器４００のＩＤを区分して格納及び認識するようになっており、サーバーに接続すると、ユーザーのＩＤに基づき、該当するプログラム及びデータを提供する。これにより、インターネットサービスプロバイダ９１０を介して個人携帯情報端末機器４００同士の通話を可能とし、サーバー９００と接続して同一のデータをアップロード及びダウンロードできる。
【００３８】
従って、図１１のように個人携帯情報端末機器４００とインシュリンポンプ５００と血糖測定器６００とがブルートゥース通信装置３００を媒介として本体８１０にデータを該当ＩＤ別に提供すれば（図面にはインシュリンポンプ５００と血糖測定器６００の１セットだけ示しているが、該当ＩＤを各々有する他の患者用のものも当然用いることが可能である）、本体８１０は、メインボードのデータバスを介して認識し、モデムを介してインターネット網と接続し、サーバー９００に対するログイン時に認証された後、接続することになる。
【００３９】
この場合、ログインすれば、サーバー９００は、接続者が医師かどうかを判断する（第１段階（Ｓ１））。医師であれば、主治医かどうかを確認し、主治医でなければ、主治医に変更する（第３段階（Ｓ３））。前記段階（Ｓ１）において医師でなければ、第２段階（Ｓ２）を行なう。第２段階（Ｓ２）では、インシュリンポンプ５００が使用される。すなわち、サーバー９００は、予め格納されたＩＤに基づいて患者別ＩＤと登録病院のデータとを、登録されたブルートゥースモジュール７００を介して個人携帯情報端末機器４００にダウンロードする第２−１段階（Ｓ２−１）を実行する。そして、患者の血糖測定データをＩＤに区分すると共にサーバー９００から入力する第２−２段階（Ｓ２−２）と、該当ＩＤに対応する患者の有するインシュリンポンプ５００に対して、前記血糖測定器６００による血糖測定データに基づき判断された対応注入量を指令する第２−３段階（Ｓ２−３）と、血糖測定器６００及びインシュリンポンプ５００のアップロード及びダウンロードデータを該当ＩＤ別に区分してリアルタイムにサーバー９００のメモリ部に更新格納する第２−４段階（Ｓ２−４）を順次に行なう。従って、該当する患者のＩＤに基づき区分して患者に適合したインシュリンポンプの注入量をリアルタイムに制御できる。
【００４０】
尚、前記段階（Ｓ３）において主治医であれば主治医患者のデータをサーバーで本体８１０や主治医が有した個人携帯情報端末機器（例えば、端末機器４００´）に提供する第４−１段階（Ｓ４−１）と、主治医が提供されたデータに基づき判断してインシュリン注入量の設定変更指令をサーバー９００に指令するかを確認する第４−２段階（Ｓ４−２）と、主治医のインシュリン注入量の設定があればサーバー９００はインターネット網を介して本体８１０にこれを指令する第４−３段階（Ｓ４−３）と、本体８１０の指令がブルートゥース通信装置３００を介して個人携帯情報端末機器４００のブルートゥースモジュール７００へ伝達され、更に個人携帯情報端末機器４００を介して該当するＩＤのインシュリンポンプ５００を駆動させてインシュリンポンプが作動するように機能する。
【図面の簡単な説明】
【００４１】
【図１】本発明が適用されるインシュリンポンプの斜視図である。
【図２】図１の制御ブロック構成図。
【図３】一般的な血糖測定器の断面図である。
【図４】図３の血糖測定器のブロック構成図である。
【図５】血糖値に対応するインシュリン注入量を示したタイムチャートである。
【図６】一般的なブルートゥース通信の使用例を示した図面である。
【図７】図６に示したブルートゥース通信装置の一例を示したブロック構成図である。
【図８】本発明のブロック構成図である。
【図９】本発明のインシュリンポンプの構成ブロック図である。
【図１０】本発明の血糖測定値の構成ブロック図である。
【図１１】本発明をサーバーが実行するフローチャートである。
【符号の説明】
【００４２】
３００  ブルートゥース通信装置
３１０  ＲＦ送信部
３２０  ＲＦ受信部
３３０  基底帯域処理部
３４０  通信制御部
３５０  送受信部
５００  インシュリンポンプ
６００  血糖測定器
７００  ブルートゥースモジュール
８００  コンピュータ
８１０  本体
８２０  モニター
８３０  キーボード
９００  サーバー
【図１】
2004344649.tif 000003
【図２】
2004344649.tif 000004
【図３】
2004344649.tif 000005
【図４】
2004344649.tif 000006
【図５】
2004344649.tif 000007
【図６】
2004344649.tif 000008
【図７】
2004344649.tif 000009
【図８】
2004344649.tif 000010
【図９】
2004344649.tif 000011
【図１０】
2004344649.tif 000012
【図１１】
2004344649.tif 000013